(57)【要約】【課題】画像から抽出した情報に基づいて当該画像に相応しい画調変換種を特定する画像処理装置を実現する。【解決手段】画像処理部１５が変換対象の画像に含まれる文字パターンを認識して文字列を抽出し、ＣＰＵ１０が抽出された文字列の中から意味を有する単語の言語を判別する。そして、ＣＰＵ１０は判別された言語を使う国（又は地域）を特定し、特定された国（又は地域）に対応付けられた絵画変換種類を変換テーブルＴＢＬを参照して選択する。例えばパリの繁華街を撮影した画像であれば、その画像に含まれる有意な文字列（単語）から仏語を使う国としてフランスが特定され、フランスに対応付けられた絵画変換種類として「油彩画」が選択される結果、画像から抽出した情報に基づいて当該画像に相応しい画調変換種を特定することが出来る。【選択図】図１
2012138045.tif 000002
【特許請求の範囲】
【請求項１】
画像に含まれる文字パターンを認識して文字列を抽出する文字列抽出手段と、
前記文字列抽出手段により抽出された文字列の中から意味を有する単語の言語を判別する言語判別手段と、
前記言語判別手段により判別された言語が使われる国又は地域を特定する特定手段と、
予め各種の国又は地域毎の画調変換種を記憶しておき、その中から前記特定手段により特定された国又は地域に対応付けられた画調変換種を選択する選択手段と
を具備することを特徴とする画像処理装置。
【請求項２】
前記特定手段は、特定された国又は地域が複数存在する場合に、前記言語判別手段で認識された単語の数が最多の国又は地域を特定する第１の特定手段と、
前記第１の特定手段により該当する国又は地域を特定できない場合に、前記言語判別手段で認識された単語の内、画像中の占有面積が最大の言語の国又は地域を特定する第２の特定手段と、
前記第１の特定手段により該当する国又は地域を特定できない場合に、画像のＥｘｉｆ情報中のＧＰＳ情報で表される撮影位置に一致する国又は地域を特定する第３の特定手段と
を具備することを特徴とする請求項１記載の画像処理装置。
【請求項３】
前記文字列抽出手段が画像から文字列を抽出したか否かを判別する抽出判別手段と、
前記抽出判別手段により文字列が抽出されないと判別された場合に、画像のＥｘｉｆ情報にＧＰＳ情報が含有されているか否かを判別するＧＰＳ情報判別手段と、
前記ＧＰＳ情報判別手段によりＥｘｉｆ情報にＧＰＳ情報が含有されると判別された場合に、そのＧＰＳ情報が表す撮影位置を含む国又は地域を特定する第４の特定手段と
を更に具備することを特徴とする請求項１記載の画像処理装置。
【請求項４】
コンピュータに、
画像に含まれる文字パターンを認識して文字列を抽出する文字列抽出ステップと、
前記文字列抽出ステップにて抽出された文字列の中から意味を有する単語の言語を判別する言語判別ステップと、
前記言語判別ステップにて判別された言語が使われる国又は地域を特定する特定ステップと、
予め各種の国又は地域毎の画調変換種を記憶しておき、その中から前記特定ステップにより特定された国又は地域に対応付けられた画調変換種を選択する選択ステップと
を実行させることを特徴とするプログラム。
【発明の詳細な説明】
【技術分野】
【０００１】
本発明は、画像から抽出した情報に基づいて当該画像に相応しい画調変換種を特定する画像処理装置およびプログラムに関する。
【背景技術】
【０００２】
デジタルカメラの普及により、写真は画像データとして保存することが一般的となっている。画像データとして保存すると、撮影したデジタルカメラで閲覧することはもとより、パーソナルコンピュータに取り込んで閲覧することもできる為、写真の楽しみ方にも変化が生じている。その一例として電子写真立てとして知られるデジタルフォトフレームがある。
【０００３】
デジタルフォトフレームでは、撮影した画像を額縁に飾った写真のように高精細に画面表示して鑑賞したり、ＢＧＭとして曲再生しながらスライドショー表示したりする他、画像データを保存するアルバム端末として使用できる。また、近年では、こうしたデジタルフォトフレームに搭載される画像処理装置の機能として、撮影した画像を水彩画や油彩画などの絵画風に画調変換して表示するものが知られており、この種の技術については例えば特許文献１に開示されている。
【先行技術文献】
【特許文献】
【０００４】
【特許文献１】特開平８−４４８６７号公報
【発明の概要】
【発明が解決しようとする課題】
【０００５】
ところで、上記特許文献１に代表される従来の画調変換技術では、予め用意された複数の画調変換種の中からユーザ操作で画調変換の種類を指定したり、ランダムに画調変換の種類を選択したりすることが多く、変換対象の画像に相応しい画調変換種を、当該画像から抽出した情報に基づいて特定することが出来ないという問題がある。
【０００６】
本発明は、このような事情に鑑みてなされたもので、画像から抽出した情報に基づいて当該画像に相応しい画調変換種を特定することができる画像処理装置およびプログラムを提供することを目的としている。
【課題を解決するための手段】
【０００７】
上記目的を達成するため、請求項１に記載の発明では、画像に含まれる文字パターンを認識して文字列を抽出する文字列抽出手段と、前記文字列抽出手段により抽出された文字列の中から意味を有する単語の言語を判別する言語判別手段と、前記言語判別手段により判別された言語が使われる国又は地域を特定する特定手段と、予め各種の国又は地域毎の画調変換種を記憶しておき、その中から前記特定手段により特定された国又は地域に対応付けられた画調変換種を選択する選択手段とを具備することを特徴とする。
【発明の効果】
【０００８】
本発明では、画像から抽出した情報に基づいて当該画像に相応しい画調変換種を特定することができる。
【図面の簡単な説明】
【０００９】
【図１】実施の一形態による画像処理装置１００の構成を示すブロック図である。
【図２】ＲＡＭ１２のメモリ構成を示すメモリマップである。
【図３】変換テーブルＴＢＬの一構成例を示す図である。
【図４】画像変換処理の動作を示すフローチャートである。
【図５】変換種選択処理の動作を示すフローチャートである。
【図６】変換種選択処理の動作を示すフローチャートである。
【図７】変換対象の画像例を示す写真である。
【図８】図７に図示した画像を画調変換した一例を示す写真である。
【発明を実施するための形態】
【００１０】
以下、図面を参照して本発明の実施形態について説明する。
Ａ．構成
図１は実施の一形態による画像処理装置１００の構成を示すブロック図である。この図において、ＣＰＵ１０は、操作部１３が発生する各種スイッチイベントに応じて装置各部を制御する。本発明の要旨に係わるＣＰＵ１０の処理動作については追って詳述する。ＲＯＭ１１には、ＣＰＵ１０にロードされる各種の制御プログラムや制御データが記憶される。各種の制御プログラムとは、後述の画像変換処理および変換種選択処理を含む。
【００１１】
ＲＡＭ１２は、図２に図示するように、ワークエリアＷＥ、画像エリアＤＥ、画調変換エリアＴＥ、変換テーブルＴＢＬおよび画調変換パラメータエリアＰＥを備える。ワークエリアＷＥには、ＣＰＵ１０の処理に用いられる各種レジスタ・フラグデータが一時記憶される。画像エリアＤＥには、後述する記録媒体Ｉ／Ｏ（入出力）部１７を介して外部記録媒体から取り込んだ画像データが格納される。ここで言う画像データとは、例えば周知のデジタルカメラで撮影されたＤＣＦ形式の画像データを指す。
【００１２】
画調変換エリアＴＥには、後述する画像処理部１５により絵画変換された変換画像データが記憶される。変換テーブルＴＢＬは、図３に図示するように、画像認識（文字抽出）結果に基づき特定された国（又は地域）を読み出しアドレスとして、対応する絵画変換種類を読み出すデータテーブルである。図３に図示する一例の場合、例えば画像認識（文字抽出）結果に基づき特定された国（又は地域）が「フランス」ならば、対応する絵画変換種類として「油彩画」が読み出される。こうした変換テーブルＴＢＬが意図するところについては追って述べる。画調変換パラメータエリアＰＥには、絵画変換種類に対応した画調変換パラメータが記憶される。画調変換パラメータは、筆触パターン（タッチの形状）、タッチの大きさ、タッチの長さ、タッチの角度、重なり具合、色のばらつき具合などから構成される。
【００１３】
操作部１３は、装置パネルに配設される各種操作スイッチを有し、ユーザ操作されるスイッチ種に対応したスイッチイベントを発生する。スイッチイベントはＣＰＵ１０に取り込まれる。この操作部１３には、電源をパワーオンオフする電源スイッチの他、変換の対象となる画像を選択する選択スイッチや、画像変換の実行を指示する変換スイッチ等が設けられる。なお、変換スイッチの操作に応じてＣＰＵ１０は後述の画像変換処理（図４参照）を実行する。表示部１４は、カラー液晶パネル等から構成され、ＣＰＵ１０から供給される表示制御信号に応じて、各種画像を画面表示する。
【００１４】
画像処理部１５は、画像処理専用のプロセッサを備え、ＣＰＵ１０の制御の下に、画像認識機能および絵画変換機能を実行する。画像認識機能とは、画像中に含まれる文字パターンを認識して文字列抽出する機能を指す。抽出された文字列は、ＣＰＵ１０により言語判別される。さらに、ＣＰＵ１０は判別された言語を使う国（又は地域）を特定し、特定した国（又は地域）に対応する絵画変換種類を、上述した変換テーブルＴＢＬから読み出して画像処理部１５に供給する。画像処理部１５では、ＣＰＵ１０から与えられた絵画変換種類に対応する画調変換パラメータをＲＡＭ１２の画調変換パラメータエリアＰＥから読み出し、読み出した画調変換パラメータに従って変換対象の画像を絵画変換する。
【００１５】
辞書データベース１６は、各国（又は地域）別の言語（単語）が登録されるデータベースである。ＣＰＵ１０では、この辞書データベース１６を参照して、画像処理部１５の画像認識機能により抽出された文字列の中から意味を有する単語の言語を判別し、判別された言語を使う国（又は地域）を特定する。記録媒体Ｉ／Ｏ部１７は、ＣＰＵ１０の制御の下に、ＳＤカード／ＳＤＨＣカードなどの外部記録媒体に対して画像データを入出力する。
【００１６】
Ｂ．動作  
次に、図４〜図８を参照して上記構成による実施形態の動作について説明する。以下では、画像処理装置１００のＣＰＵ１０が実行する画像変換処理および変換種選択処理の各動作について述べる。
【００１７】
（１）画像変換処理の動作
ユーザが変換スイッチをオン操作すると、ＣＰＵ１０は図４に図示する画像変換処理を実行してステップＳＡ１に処理を進め、変換対象となる画像を選択する。具体的には、記録媒体Ｉ／Ｏ部１７にセットされた外部記録媒体に記録されている各画像のＥｘｉｆ情報からサムネイル（縮小画像）を読み出して表示部１４に一覧表示し、その内から変換対象としたい画像のサムネイルを選択スイッチ操作により選択する。すると、ステップＳＡ２に進み、選択されたサムネイルに対応した画像データ（主画像）を、記録媒体Ｉ／Ｏ部１７を介して読み込み、ＲＡＭ１２の画像エリアＩＥに格納する。
【００１８】
続いて、ステップＳＡ３では、画像処理部１５に画像認識機能の実行を指示する。これにより、画像処理部１５では、ＲＡＭ１２の画像エリアＩＥに格納された変換対象の画像に含まれる文字パターンを認識して文字列を抽出する。そして、ステップＳＡ４では、変換種選択処理を実行する。変換種選択処理では、後述するように、画像処理部１５の画像認識機能により変換対象の画像から文字列が抽出されず、かつ当該画像のＥｘｉｆ情報におけるＧＰＳ情報が有れば、そのＧＰＳ情報が表す撮影位置（緯度、経度）を含む国（又は地域）に対応付けられた絵画変換種類を、変換テーブルＴＢＬを参照して選択する。
【００１９】
一方、文字列が抽出されたならば、辞書データベース１６を参照して、抽出された文字列の中から意味を有する単語の言語を判別し、判別された言語を使う国（又は地域）を特定する。特定された国（又は地域）が単数であると、その国（又は地域）に対応付けられた絵画変換種類を、変換テーブルＴＢＬを参照して選択する。具体的な一例を挙げると、図７に図示する画像を変換対象とした場合には、文字列「ＰＡＳＳＡＧＥ  Ｄ‘ＡＵＴＲＥ  ＦＯＩＳ」が抽出されて仏語と判別される。そして、仏語が使われる国として「フランス」が特定され、変換テーブルＴＢＬを参照して「フランス」に対応付けられた絵画変換種類として「油彩画」が選択される。
【００２０】
また、特定された国（又は地域）が複数存在する場合には、それら複数存在する国（又は地域）の中から「認識された単語数が最多の国（又は地域）」、「認識された単語の内、画像中の占有面積が最大の言語の国（又は地域）」および「変換対象の画像のＥｘｉｆ情報中のＧＰＳ情報で表される撮影位置に一致する国（又は地域）」の何れかに合致する国（又は地域）を探し出し、該当する国（又は地域）に対応付けられた絵画変換種類を、変換テーブルＴＢＬを参照して選択する。
【００２１】
こうした変換種選択処理が完了すると、ＣＰＵ１０はステップＳＡ５に処理を進め、上記ステップＳＡ４（変換種選択処理）において選択された絵画変換種類に対応付けられた画調変換パラメータをＲＡＭ１２の画調変換パラメータエリアＰＥから読み出して画像処理部１５に供給し、絵画変換機能の実行を指示する。これにより、画像処理部１５では、ＣＰＵ１０から供給される画調変換パラメータに基づき変換対象の画像を絵画変換し、絵画変換して得た変換画像データをＲＡＭ１２の画調変換エリアＴＥに記憶する。具体的には、上述した一例のように、図７に図示する変換対象の画像から絵画変換種類として「油彩画」が選択されると、「油彩画」の画調変換パラメータに従って変換対象の画像（図７参照）を絵画変換し、その結果、図８に図示する油彩画調の変換画像が得られる。
【００２２】
次いで、ステップＳＡ６では、ＲＡＭ１２の画調変換エリアＴＥから変換画像データを読み出して表示部１４に絵画変換された画像として画面表示する。続いて、ステップＳＡ７では、表示画像の切り替え指示操作の有無を判断し、切り替え指示操作が無ければ、判断結果は「ＮＯ」となり、ステップＳＡ６に処理を戻し、絵画変換された画像を画面表示し続ける。そして、ユーザが表示画像の切り替え指示操作を行うと、上記ステップＳＡ７の判断結果が「ＹＥＳ」になり、前述したステップＳＡ１に処理を戻して新たに変換対象となる画像を選択する。
【００２３】
（２）変換種選択処理の動作
次に、図５〜図７を参照して変換種選択処理の動作を説明する。上述した画像変換処理のステップＳＡ４（図４参照）を介して本処理が実行されると、ＣＰＵ１０は図５に図示するステップＳＢ１に進み、画像処理部１５の画像認識機能により変換対象の画像から文字列が抽出されたか否かを判断する。以下、文字列が抽出されない場合と、文字列が抽出された場合とに分けて動作の説明を進める。
【００２４】
＜文字列が抽出されない場合＞
変換対象の画像から文字列が抽出されなければ、上記ステップＳＢ１の判断結果は「ＮＯ」になり、ステップＳＢ２に進む。ステップＳＢ２では、変換対象の画像のＥｘｉｆ情報にＧＰＳ情報が含まれているかどうかを判断する。Ｅｘｉｆ情報にＧＰＳ情報が含まれていれば、判断結果は「ＹＥＳ」になり、ステップＳＢ３に進み、ＧＰＳ情報で表される撮影位置を含む国（又は地域）を特定すると共に、変換テーブルＴＢＬ（図３参照）を参照し、その特定した国（又は地域）に対応付けられた絵画変換種類を選択して本処理を終える。
【００２５】
一方、Ｅｘｉｆ情報にＧＰＳ情報が含まれていなければ、上記ステップＳＢ２の判断結果は「ＮＯ」になり、ステップＳＢ４に進み、絵画変換種類をマニュアル選択する操作の仕方を、例えば表示部１４に画面表示してユーザにガイドし、続くステップＳＢ５では、そのガイドに従ったユーザ操作により絵画変換種類を選択して本処理を終える。
【００２６】
このように、変換対象の画像から文字列が抽出されなければ、当該画像のＥｘｉｆ情報におけるＧＰＳ情報の有無を判別し、ＧＰＳ情報が有れば、それで表される撮影位置を含む国（又は地域）を特定すると共に、変換テーブルＴＢＬ（図３参照）を参照し、その特定した国（又は地域）に対応付けられた絵画変換種類を選択し、ＧＰＳ情報が無ければ、ユーザ操作で絵画変換種類を選択させる。
【００２７】
＜文字列が抽出された場合＞
変換対象の画像から文字列が抽出されると、上記ステップＳＢ１の判断結果が「ＹＥＳ」になり、ステップＳＢ６に進む。そして、ステップＳＢ６〜ＳＢ７では、辞書データベース１６を参照して、画像処理部１５が抽出した文字列の中から意味を有する単語の言語を判別し、判別された言語を使う国（又は地域）を特定する。続いて、ステップＳＢ８では、特定された国（又は地域）が複数存在するか否かを判断する。
【００２８】
特定された国（又は地域）が単数ならば、上記ステップＳＢ８の判断結果は「ＮＯ」になり、ステップＳＢ９に進み、変換テーブルＴＢＬ（図３参照）を参照し、その特定した国（又は地域）に対応付けられた絵画変換種類を選択して本処理を終える。具体的には、例えば図７に図示する画像を変換対象とした場合、この画像から抽出される文字列「ＰＡＳＳＡＧＥ  Ｄ‘ＡＵＴＲＥ  ＦＯＩＳ」が仏語と判別され、この言語が使われる国として「フランス」が特定される。そして、変換テーブルＴＢＬを参照して「フランス」に対応付けられた絵画変換種類として「油彩画」が選択される。
【００２９】
一方、特定された国（又は地域）が複数であると、上記ステップＳＢ８の判断結果は「ＹＥＳ」になり、図６に図示するステップＳＢ１０に進み、認識された単語数が最多の国（又は地域）が存在するかどうかを判断する。該当する国（又は地域）が存在すると、判断結果は「ＹＥＳ」になり、ステップＳＢ１１に進み、変換テーブルＴＢＬを参照し、認識された単語数が最多の国（又は地域）に対応付けられた絵画変換種類を選択して本処理を終える。
【００３０】
これに対し、認識された単語数が最多の国（又は地域）が存在しなければ、上記ステップＳＢ１０の判断結果は「ＮＯ」になり、ステップＳＢ１２に進み、認識された単語の内、画像中の占有面積が最大の言語の国（又は地域）が存在するか否かを判断する。該当する国（又は地域）が存在すると、判断結果は「ＹＥＳ」になり、ステップＳＢ１３に進み、変換テーブルＴＢＬを参照し、認識された単語の内、画像中の占有面積が最大の言語の国（又は地域）に対応付けられた絵画変換種類を選択して本処理を終える。
【００３１】
一方、上記ステップＳＢ１０およびステップＳＢ１２の各判断結果が何れも「ＮＯ」の場合、すなわち画像処理部１５が抽出した文字列の中から意味を有する単語の言語を判別し、判別された言語を使う国（又は地域）が複数存在するが、認識された単語数が最多の国（又は地域）や、認識された単語の内、画像中の占有面積が最大の言語の国（又は地域）が存在しない場合には、ステップＳＢ１４に進み、特定された複数の国（又は地域）の中で変換対象の画像のＥｘｉｆ情報中のＧＰＳ情報で表される撮影位置に一致する国（又は地域）を特定し、その特定された国（又は地域）に対応付けられた絵画変換種類を、変換テーブルＴＢＬを参照して選択して本処理を終える。
【００３２】
このように、変換種選択処理では、画像処理部１５の画像認識機能により変換対象の画像から文字列が抽出されず、かつ当該画像のＥｘｉｆ情報におけるＧＰＳ情報が有れば、それで表される撮影位置を含む国（又は地域）に対応付けられた絵画変換種類を、変換テーブルＴＢＬを参照して選択する。
【００３３】
一方、文字列が抽出されたならば、辞書データベース１６を参照して、抽出された文字列の中から意味を有する単語の言語を判別し、判別された言語を使う国（又は地域）を特定する。特定された国（又は地域）が単数であると、その国（又は地域）に対応付けられた絵画変換種類を、変換テーブルＴＢＬを参照して選択する。
【００３４】
また、特定された国（又は地域）が複数存在する場合には、それら複数存在する国（又は地域）の中から「判定条件１：認識された単語数が最多の国（又は地域）」、「判定条件２：認識された単語の内、画像中の占有面積が最大の言語の国（又は地域）」および「判定条件３：変換対象の画像のＥｘｉｆ情報中のＧＰＳ情報で表される撮影位置に一致する国（又は地域）」の何れかの判定条件に合致する国（又は地域）を探し出し、該当する国（又は地域）に対応付けられた絵画変換種類を、変換テーブルＴＢＬを参照して選択する。
【００３５】
以上のように、本実施形態では、変換対象の画像に含まれる文字パターンを認識して文字列を抽出し、抽出された文字列の中から意味を有する単語の言語を判別する。そして、判別された言語を使う国（又は地域）を特定し、特定された国（又は地域）に対応付けられた絵画変換種類を選択するので、例えばパリの繁華街を撮影した画像であれば、その画像に含まれる有意な文字列（単語）から仏語を使う国としてフランスが特定され、フランスに対応付けられた絵画変換種類として「油彩画」が選択される結果、画像から抽出した情報に基づいて当該画像に相応しい画調変換種を特定することが出来る。
【００３６】
また、特定された国（又は地域）が複数存在する場合には、「認識された単語数が最多の国（又は地域）」、「認識された単語の内、画像中の占有面積が最大の言語の国（又は地域）」および「変換対象の画像のＥｘｉｆ情報中のＧＰＳ情報で表される撮影位置に一致する国（又は地域）」の何れかに合致する国（又は地域）を探し出し、該当する国（又は地域）に対応付けられた絵画変換種類を選択するので、画像に相応しい画調変換種をより正しく特定することが可能になる。
【００３７】
加えて、変換対象の画像から文字列が抽出されず、かつ当該画像のＥｘｉｆ情報におけるＧＰＳ情報が存在する場合には、そのＧＰＳ情報が表す撮影位置（緯度、経度）を含む国（又は地域）に対応付けられた絵画変換種類を選択するので、画像から抽出した情報に基づいて当該画像に相応しい画調変換種を特定することが出来る。
【００３８】
本発明の実施の一形態について説明したが、本発明はそれに限定されるものではなく、本願出願の特許請求の範囲に記載された発明とその均等の範囲に含まれる。以下では、本願出願当初の特許請求の範囲に記載された各発明について付記する。
【００３９】
［請求項１］
画像に含まれる文字パターンを認識して文字列を抽出する文字列抽出手段と、前記文字列抽出手段により抽出された文字列の中から意味を有する単語の言語を判別する言語判別手段と、前記言語判別手段により判別された言語が使われる国又は地域を特定する特定手段と、予め各種の国又は地域毎の画調変換種を記憶しておき、その中から前記特定手段により特定された国又は地域に対応付けられた画調変換種を選択する選択手段とを具備することを特徴とする画像処理装置。
【００４０】
［請求項２］
前記特定手段は、特定された国又は地域が複数存在する場合に、前記言語判別手段で認識された単語の数が最多の国又は地域を特定する第１の特定手段と、前記第１の特定手段により該当する国又は地域を特定できない場合に、前記言語判別手段で認識された単語の内、画像中の占有面積が最大の言語の国又は地域を特定する第２の特定手段と、前記第１の特定手段により該当する国又は地域を特定できない場合に、画像のＥｘｉｆ情報中のＧＰＳ情報で表される撮影位置に一致する国又は地域を特定する第３の特定手段とを具備することを特徴とする請求項１記載の画像処理装置。
【００４１】
［請求項３］
前記文字列抽出手段が画像から文字列を抽出したか否かを判別する抽出判別手段と、前記抽出判別手段により文字列が抽出されないと判別された場合に、画像のＥｘｉｆ情報にＧＰＳ情報が含有されているか否かを判別するＧＰＳ情報判別手段と、前記ＧＰＳ情報判別手段によりＥｘｉｆ情報にＧＰＳ情報が含有されると判別された場合に、そのＧＰＳ情報が表す撮影位置を含む国又は地域を特定する第４の特定手段とを更に具備することを特徴とする請求項１記載の画像処理装置。
【００４２】
［請求項４］
コンピュータに、画像に含まれる文字パターンを認識して文字列を抽出する文字列抽出ステップと、前記文字列抽出ステップにて抽出された文字列の中から意味を有する単語の言語を判別する言語判別ステップと、前記言語判別ステップにて判別された言語が使われる国又は地域を特定する特定ステップと、予め各種の国又は地域毎の画調変換種を記憶しておき、その中から前記特定ステップにより特定された国又は地域に対応付けられた画調変換種を選択する選択ステップとを実行させることを特徴とするプログラム。
【符号の説明】
【００４３】
１０  ＣＰＵ
１１  ＲＯＭ
１２  ＲＡＭ
１３  操作部
１４  表示部
１５  画像処理部
１６  辞書データベース
１７  記録媒体Ｉ／Ｏ部
１００  画像処理装置
【図１】
2012138045.tif 000003
【図２】
2012138045.tif 000004
【図３】
2012138045.tif 000005
【図４】
2012138045.tif 000006
【図５】
2012138045.tif 000007
【図６】
2012138045.tif 000008
【図７】
2012138045.tif 000009
【図８】
2012138045.tif 000010